(57)【要約】【課題】    資源上の無駄を省き、かつ、顧客の使いやすいレフィルを備えた、化粧セットを提供することを目的としている。【解決手段】  ケースと、  該ケースの中に格納されているレフィルと、  スポンジとからなり、  前記レフィルは底面と該底面の外周部の全体にわたって、前記外周部に連設されて立ち上がる側壁面とを有しており、かつ、前記レフィルには前記底面と前記側壁面とで囲繞され反底面側を開口部としている空間が形成されており、該空間部に化粧剤が充填されている化粧セットにおいて、  前記レフィルの前記底面と前記側壁面との間に、前記底面と前記側壁面とを連結するレフィル空間部側に曲率中心を有する連結面を設けたことを特徴とした化粧セットによって課題の解決を図る。【選択図】    図２
2006061660.tif 000002
【特許請求の範囲】
【請求項１】
ケースと、
該ケースの中に格納されているレフィルと、
スポンジとからなり、
前記レフィルは底面と該底面の外周部の全体にわたって、前記外周部に連設されて立ち上がる側壁面とを有しており、かつ、前記レフィルには前記底面と前記側壁面とで囲繞され反底面側を開口部としている空間が形成されており、該空間部に化粧剤が充填されている化粧セットにおいて、
前記レフィルの前記底面と前記側壁面との間に、前記底面と前記側壁面とを連結するレフィル空間部側に曲率中心を有する連結面を設けたことを特徴とした化粧セット。
【請求項２】
前記化粧剤が、ファンデーションであることを特徴とする請求項１に記載の化粧セット。
【発明の詳細な説明】
【技術分野】
【０００１】  本発明は、化粧セットに係わる。特に、化粧剤がファンデーションである化粧セットに好適である。
【背景技術】
【０００２】  従来の化粧セットのレフィルにおいては、前記化粧セットＫｚの正面図である図４（ａ）に示すようにケース１ｚとケース１１ｚとを有し、ケース１ｚには図中左側にレフィル２ｚを、右側にスポンジ３ｚをそれぞれ配置格納している。ケース１１ｚには、略中央部にミラー１２ｚが配置されている。ケース１ｚとケース１１ｚとの間には、ケース１ｚとケース１１ｚが化粧セットを使用する時に開き、使用しない時に閉じることが出来るように、矢視ＸｚまたはＹｚ方向（図４（ａ）の側面図である図４（ｂ）を参照）に互いに開閉自在にヒンジ４ｚが設けられ、互いに連結されている。【０００３】  ケース１ｚのヒンジ４ｚの反対側（図４（ａ）中、下方）には、ロック部５ｚが、また、ケース１１ｚのヒンジ４ｚの反対側（図４（ａ）中、上方）にはロック部６ｚがそれぞれ設けられ、化粧セットＫｚを使用しないで閉じるときに互いにロックする。【０００４】  図５（ａ）、（ｂ）、に化粧剤が充填されているレフィル２ｚを示している。レフィル２ｚは、底面２１ｚと底面外周から直立して連設されている側壁面２２ｚを有している。底面２１ｚと側壁面２２ｚとが連設されている部分はコーナー部２３ｚを形成している。そして、底面２１ｚと底面２１ｚに連設された側壁面２２ｚとで囲繞され、反底面側を開口部２４ｚとしている空間２５ｚを形成し、該空間２５ｚに化粧剤、例えば、ファンデーションＦｚを収納している。【０００５】  レフィル２ｚの正面（上方もしくは下方のいずれの方向からでも良い）形状としては、円形状のもの、角形状のもの、およびそれらの組み合わせ形状のものなど多様であるが、いずれも、底面と側壁面で囲繞された空間部に、ファンデーションに限らず、頬紅、アイシャドウなどの化粧剤が収納されている。
【発明の開示】
【発明が解決しようとする課題】
【０００６】  従来のレフィルにおいて、上記に説明したように、側壁面２２ｚが底面２１ｚに連接されている部分は、コーナー部２３ｚを形成しているので、化粧剤、例えば、ファンデーションＦｚをレフィル２ｚから、スポンジ３ｚで掬い取り使用するが、何回も繰り返しているうちに、だんだん残存量が少なくなってくると、スポンジ３ｚは、円弧運動Ｗｚに近い掬い取りの動きになってくる。そうすると、最終的には、空間部の外周部分はコーナー部２３ｚになっているため、掬い取りにくく、そこにファンデーションＦｚが残ってしまう。図５（ｃ）、レフィルの断面から見た残存状況を示し、図５（ｄ）は、レフィルを空間部上方より見た残存状況であり、空間部の外周部分に残存している状況を示している。【０００７】  そのため、残存量がかなりあるにもかかわらず、レフィルを廃棄してしまうか、または、廃棄をしないならば、鋭利なものによってコーナー部のファンデーションＦｚを掻き取って使用している。残存しているファンデーションを廃棄することは、資源上の無駄であったり、コーナー部のファンデーションを掻きとって使用することは、煩わしさや時間的なロスに成って使いにくいことがあったりする。【０００８】  本発明は、上記の問題に鑑みなされたもので、資源上の無駄を省き、かつ、顧客の使いやすいレフィルを備えた、化粧セットを提供することを目的としている。
【課題を解決するための手段】
【０００９】  本発明は、上記の目的を達成するために、
ケースと、
該ケースの中に格納されているレフィルと、
スポンジとからなり、
前記レフィルは底面と該底面の外周部の全体にわたって、前記外周部に連設されて立ち上がる側壁面とを有しており、かつ、前記レフィルには前記底面と前記側壁面とで囲繞され反底面側を開口部としている空間が形成されており、該空間部に化粧剤が充填されている化粧セットにおいて、
前記レフィルの前記底面と前記側壁面との間に、前記底面と前記側壁面とを連結するレフィル空間部側に曲率中心を有する連結面を設けたことを特徴とした化粧セットを提供する。
また、本発明は
前記化粧剤が、ファンデーションである場合に好適な化粧セットを提供できる。
【発明の効果】
【００１０】  本発明は、資源上の無駄を省き、かつ、顧客の使いやすいレフィルを備えた、化粧セットを提供することができる。
【発明を実施するための最良の形態】
【００１１】  本発明の実施形態を図面を参照しながら説明する。【００１２】    （実施形態）
図１、ならびに図２（ａ）、（ｂ）、（ｃ）、（ｄ）を参照しながら実施形態を説明する。図１は、化粧剤がファンデーションである化粧セットを示す上方から見た正面図である。【００１３】  本実施形態の化粧セットＫはケース１とケース１１とを有し、ケース１には図中左側にレフィル２を、右側にスポンジ３をそれぞれ配置格納している。ケース１１には、略中央部にミラー１２が配置されている。ケース１とケース１１との間には、ケース１とケース１１が化粧セットＫを使用する時に開き、使用しない時に閉じることが出来るように、矢視ＸまたはＹ方向（図１（ａ）の側面図である図１（ｂ）を参照）に互いに開閉自在にヒンジ４が設けられ、互いに連結されている。化粧セットは所定の厚みを持っている。【００１４】  ケース１は外形輪郭が略矩形をしており、図中上下方向は短辺、左右方向は長辺の矩形である。ケース１の矩形の内方には、ケース１の厚みの許容範囲でレフィル２とスポンジ３の円形の格納スペースが左右にそれぞれ設けられている。矩形の図中上側の長辺の略中央部にヒンジ４が設けられている。前記長辺の他方の長辺（図中、下側）の略中央部にはロック部５が形成されている。【００１５】  ケース１１は、ケース１に対応する同形の矩形形状で、矩形の内方の略中央部にミラー１２を備えている。矩形の図中下側の長辺には、ケース１と共有するヒンジ４が設けられている。他方の長辺（図中、上側）にはケース１のロック部５と係合するロック部６が設けられている。【００１６】  ケース１とケース１１とは、化粧セットＫを使用しないときに、互いに係合している。【００１７】  レフィル２について図２（ａ）、（ｂ）、（ｃ）、（ｄ）を参照しながら説明する。
レフィル２はケース１のレフィル格納スペースに収納される形状をしており、レフィル格納スペースに格納される。【００１８】  レフィル２の正面（上方もしくは下方のいずれの方向からでも良い）形状としては、円形状のもの、角形状のもの、およびそれらの組み合わせ形状のものなど多様であるが、いずれも、底面と側壁面で囲繞された空間部に、ファンデーション、頬紅、アイシャドウなどの化粧剤が収納されている。【００１９】  図２（ａ）はファンデーションＦが充填されたレフィル２を上面から見た正面図であり、図２（ｂ）は図２（ａ）の矢視Ａ−Ａ断面から見た側面断面図である。【００２０】  レフィル２は底面２１と底面２１の外周部に連設された連結面２１１が底面２１の全周に亘って設けられている。さらに、連結面２１１に連設されて底面２１とは直交関係にある側壁部２２が連結面２１１の全周に亘って設けられている。底面２１と、連結面２１１と、側壁部２２とで囲繞され反低面側を開口部２４とする空間部２５が、側壁部２２の内方に形成されている。連結面２１１は曲面になっており、曲率の中心Ｏ１を空間部２５側に有している。空間部２５は反底面側（図中、上部）に向かって開口している。この空間部２５にファンデーションＦが充填されている。【００２１】  次に、メークアップ時、ファンデーションＦが掬い取られる場合について説明する。【００２２】  掬い取りをする場合、図２（ｃ）に示すように、スポンジ３を矢視Ｗのように円弧状に動かして掬い取る。ファンデーションは、点線で示すようにだんだん減少していくが、ファンデーションＦを全部掬いによって使い切った状態では、図２（ｃ）、（ｄ）に示しているように残存していない。取り曲面の連結面２１１が存在するために、スポンジによって掬い取りができるからである。【００２３】  なお、この連結面は、曲面に限定することなく、本実施形態の変形例として図３に示すように曲率中心の距離は大きくなるが平面２１２でもよい。なお、図３においては、本実施形態で説明したものと同一部位、同一符号については、説明を省略する。【００２４】  上記説明のごとく、本発明の目的を達成する形状ならば、曲面、平面に限定することなく実施できる。【００２５】  側面断面図は矢視Ａ−Ａによって代表して説明しているが、レフィルの外形が円形でなく、例えば円形と角形の組み合わせ形状など異形であっても、本発明は実施できる。【００２６】  なお、本実施形態はファンデーションの場合について説明したが、化粧剤は頬紅やアイシャドウなどでも実施するものである。
【図面の簡単な説明】
【００２７】
【図１】本発明の化粧セットの実施形態を示す正面図である。
【図２】は本実施形態の要部を示す。
【００２８】（ａ）、はファンデーションを充填したレフィルの上部正面図である。【００２９】（ｂ）、は（ａ）の断面Ａ−Ａである。【００３０】（ｃ）、はファンデーションを充填したレフィルからファンデーションを掬い取りにより最終的に残っていない状態を示す。【００３１】（ｄ）、は（ｃ）の上部正面図である。【図３】本実施形態の変形例である。
【図４】従来の化粧セットを示す。
【図５】従来にレフィルを示す。
【００３２】（ａ）、はレフィルの上部正面図である。【００３３】（ｂ）、は（ａ）の断面Ａ−Ａである。【００３４】（ｃ）、はファンデーションを充填したれフィルからファンデーションを掬い取りによりファンデーションがコーナー部に残っている状態を示す。【００３５】（ｄ）、は（ｃ）の上部正面図である。
【符号の説明】
【００３６】Ｋ：化粧セット
１：ケース１
１１：ケース２
１２：ミラー
２：レフィル
２１：底面
２１１：曲面の連結面
２１２：平面の連結面
２２：側壁部
２４：開口部
２５：空間部
３：スポンジ
Ｆ：ファンデーション
【図１】
2006061660.tif 000003
【図２】
2006061660.tif 000004
【図３】
2006061660.tif 000005
【図４】
2006061660.tif 000006
【図５】
2006061660.tif 000007